(57)【要約】　　【課題】　製品機能が複雑になってきている近年の冷蔵庫において、冷蔵庫の使い勝手を向上すること。　　【解決手段】　冷蔵庫は、複数の運転機能を設定する操作スイッチ６０と、複数の運転機能を音声で報知するスピーカ８３を有する音声装置８０と、操作スイッチ６０の設定に基づいて複数の運転機能及び音声装置８０を制御する制御装置３９とを備える。制御装置３９は、設定された各運転機能を具体的に説明する音声内容をスピーカ８３で音声報知するように制御する音声制御手段を備えている。【選択図】　図５
2004012128.tif 000002
【特許請求の範囲】
【請求項１】
　複数の運転機能を設定する操作スイッチと、前記複数の運転機能を音声で報知するスピーカを有する音声装置と、前記操作スイッチの設定に基づいて前記複数の運転機能及び前記音声装置を制御する制御装置とを備え、
　前記制御装置は、設定された各運転機能を具体的に説明する音声内容を前記スピーカで音声報知するように制御する音声制御手段を備えた冷蔵庫。
【請求項２】
　請求項１に記載の冷蔵庫において、前記操作スイッチで設定された運転機能の内容を表示する表示部を備え、前記制御装置は、前記操作スイッチで設定された運転機能に対応する表示内容を前記表示部に表示するように制御する表示制御手段を備えた冷蔵庫。
【請求項３】
　複数の温度帯に設定される貯蔵室と、冷蔵庫扉の前面部に配置されかつ前記貯蔵室の温度帯を設定する操作スイッチと、前記操作スイッチにより設定される内容を表示する表示部と、複数の運転機能を音声で報知するスピーカを有する音声装置と、前記操作スイッチの設定に基づいて冷蔵庫の冷却運転及び前記音声装置を制御する制御装置とを備え、
　前記制御装置は、前記貯蔵室の各運転機能に対応する表示内容を前記表示部に表示するように制御する表示制御手段と、設定された各運転機能を具体的に説明する音声内容を前記スピーカで音声報知するように制御する音声制御装置とを備えた冷蔵庫。
【請求項４】
　デモ機能を設定する操作スイッチと、デモ機能を音声で報知するスピーカを有する音声装置と、前記操作スイッチの設定に基づいて前記音声装置を制御する制御装置とを備え、
　前記制御装置は、デモ機能が設定されたときにデモ機能に関する内容を前記スピーカで音声報知するように制御する音声制御手段を有する冷蔵庫。
【請求項５】
　複数の運転機能及びデモ機能を設定する複数の操作スイッチと、複数の運転機能を表示する表示部と、複数の運転機能及びデモ機能を音声で報知するスピーカを有する音声装置と、前記操作スイッチの設定に基づいて冷蔵庫の冷却運転、前記表示部及び前記音声装置を制御する制御装置とを備え、前記制御装置は、運転機能が設定されたときにその運転機能に関する内容を表示しかつデモ機能が設定されたときにデモ機能に関する内容を表示するように制御する表示制御手段と、運転機能が設定されたときにその運転機能に関する内容を前記スピーカで音声報知するように制御し、かつデモ機能が設定されたときにデモ機能に関する内容を前記スピーカで音声報知するように制御する音声制御手段とを有し、
　前記音声制御手段は冷蔵庫の持つ複数の運転機能を説明する音声内容を前記スピーカで音声報知するように制御することを特徴とする冷蔵庫。
【請求項６】
　冷蔵庫扉の前面部に配置されかつ複数の運転機能及びデモ機能を設定する複数の操作スイッチと、冷蔵庫扉の前面部に配置されかつ複数の運転機能を表示する表示部と、複数の運転機能及びデモ機能を音声で報知するスピーカを有する音声装置と、前記操作スイッチの設定に基づいて冷蔵庫の冷却運転、前記表示部及び前記音声装置を制御する制御装置とを備え、前記制御装置は、運転機能が設定されたときにその運転機能に関する内容を表示しかつデモ機能が設定されたときにデモ機能に関する内容を表示するように制御する表示制御手段と、運転機能が設定されたときにその運転機能に関する内容を前記スピーカで音声報知するように制御しかつデモ機能が設定されたときにデモ機能に関する内容を前記スピーカで音声報知するように制御する音声制御手段とを有することを特徴とする冷蔵庫。
【請求項７】
　請求項６に記載された冷蔵庫において、前記音声制御手段はデモ機能が設定されたときにデモ機能に関する内容を運転機能に関する音声報知より大きな音量で音声報知するように制御するものであることを特徴とする冷蔵庫。
【請求項８】
　請求項４乃至７のいずれかに記載の冷蔵庫において、前記制御装置が配される基板内にデモ機能状態を記憶する不揮発性メモリの記憶部を備えたことを特徴とする冷蔵庫。
【発明の詳細な説明】
【技術分野】
【０００１】
　本発明は、冷蔵庫に係り、特に音声装置を備えた冷蔵庫に好適なものである。
【背景技術】
【０００２】
　従来技術１の冷蔵庫としては、特開２０００−７４５４８号公報（特許文献１）に記載されているように、冷蔵室扉に操作パネルが設けられ、この操作パネルの中央に液晶表示装置が配置され、この液晶表示装置の周囲に冷蔵室、切替室、冷蔵室の庫内温度を設定するための複数の操作スイッチが設けられ、この液晶表示装置及び設定スイッチが制御装置に接続され、各部屋が操作スイッチで設定された庫内温度になるように制御装置で圧縮機、ファン、ダンパモータ等が制御され、その運転状態を液晶表示装置の複数の領域にそれぞれ表示され、その液晶表示装置の照明を必要なタイミングでのみ点灯させるものが公知である。
【０００３】
　また、従来技術２の冷蔵庫としては、特開昭６０−４２５７７号公報（特許文献２）に記載されているように、扉を閉め忘れた際に自動的に音声で警告を発するものが公知である。即ち、この従来技術２の冷蔵庫は、冷凍室扉又は冷蔵室扉が開成されると、扉検出装置がオンしてＯＲ回路から出力され、これに基づいて１パルス発生器から１パルス出力され、これにより音声記憶装置より対応した語（例えば「詰めすぎにご注意下さい」）が出力されてスピーカより発音される。また、冷凍室扉又は冷蔵室扉が開成された状態が継続されると、パルス発生器と遅延回路により一定時間（約３０秒）経過後のＡＮＤ回路からの出力で音声記憶装置が動作して、上記の発音とは別の内容の語（例えば「ドアが開いています。閉めて下さい」）と出力されてスピーカより繰り返し発音される。そして、両扉が閉まると扉検出装置がオフしてＯＲ回路からの出力がなくなり、１パルス発生器、遅延回路、パルス発生回路がともに入力が０となってリセットされる。
【０００４】
　また、従来技術３の冷蔵庫としては、冷蔵庫背面に収納して設置してある制御基板の設定されたピンを短絡させることにより、デモ機能を設定することができるようにしたものがある。このピンを短絡する方法としては、専用のコネクタを用意しておき、設定されたピンに差し込む方法をとっていた。
【０００５】
【特許文献１】特開２０００−７４５４８号公報
【０００６】
【特許文献２】特開昭６０−４２５７７号公報
【発明の開示】
【発明が解決しようとする課題】
【０００７】
　最近の冷蔵庫では、操作スイッチの数が増えると共に、複数の運転機能、タイマー機能、デモ機能、警報機能、ボタンロック機能等よりなる製品機能が複雑になってきており、冷蔵庫の使い勝手を向上することが重要になってきている。
【０００８】
　しかしながら、従来技術１では、液晶表示装置の複数の領域に運転状態を必要なタイミングで表示するようにして使い勝手を向上するようにしているが、運転状態の視認性の向上にとどまるものであり、液晶表示装置の表示のみでは使い勝手の向上を図ることに限界があった。
【０００９】
　また、従来技術２では、扉を閉め忘れた際に自動的に警告を音声で発生させるだけであって、複数の運転機能を有する冷蔵庫の各運転機能について使用者に知らせるものではなく、したがって、最近の冷蔵庫における複雑な複数の製品機能に関する使い勝手を向上するものではなかった。
【００１０】
　また、従来技術３では、デモ機能を設定または解除するために、専用のコネクタを用意して冷蔵庫背面に収納された制御基板のピンを短絡およびその解除をすることが必要であり、その作業が非常に面倒なものであった。
【００１１】
　さらには、デモ機能についても最近の冷蔵庫における製品機能の複雑化に対応する必要がある。例えば、冷蔵室の扉が閉まっている状態で運転される場合には、顧客が運転状態を知ることができないという問題がある。
【００１２】
　本発明の目的は、製品機能が複雑になってきている近年の冷蔵庫において、冷蔵庫の使い勝手を向上することにある。
【００１３】
　本発明の別の目的は、顧客等にその冷蔵庫の多くの運転機能を知らせ、購入する対象機種の選定のために冷蔵庫の製品的な良さをコマーシャルすることにある。
【課題を解決するための手段】
【００１４】
　上記目的を達成するための本発明の第１の特徴は、複数の運転機能を設定する操作スイッチと、前記複数の運転機能を音声で報知するスピーカを有する音声装置と、前記操作スイッチの設定に基づいて前記複数の運転機能及び前記音声装置を制御する制御装置とを備え、前記制御装置は、設定された各運転機能を具体的に説明する音声内容を前記スピーカで音声報知するように制御する音声制御手段を備えたことにある。
【００１５】
　上述した第１の特徴において、特に好ましくは、前記操作スイッチで設定された運転機能の内容を表示する表示部を備え、前記制御装置は、前記操作スイッチで設定された運転機能に対応する表示内容を前記表示部に表示するように制御する表示制御手段を備えたことにある。
【００１６】
　本発明の第２の特徴は、複数の温度帯に設定される貯蔵室と、冷蔵庫扉の前面部に配置されかつ前記貯蔵室の温度帯を設定する操作スイッチと、前記操作スイッチにより設定される内容を表示する表示部と、複数の運転機能を音声で報知するスピーカを有する音声装置と、前記操作スイッチの設定に基づいて冷蔵庫の冷却運転及び前記音声装置を制御する制御装置とを備え、前記制御装置は、前記貯蔵室の各運転機能に対応する表示内容を前記表示部に表示するように制御する表示制御手段と、設定された各運転機能を具体的に説明する音声内容を前記スピーカで音声報知するように制御する音声制御装置とを備えたことにある。
【００１７】
　本発明の第３の特徴は、デモ機能を設定する操作スイッチと、デモ機能を音声で報知するスピーカを有する音声装置と、前記操作スイッチの設定に基づいて前記音声装置を制御する制御装置とを備え、前記制御装置は、デモ機能が設定されたときにデモ機能に関する内容を前記スピーカで音声報知するように制御する音声制御手段を有する構成にしたことにある。
【００１８】
　本発明の第４の特徴は、複数の運転機能及びデモ機能を設定する複数の操作スイッチと、複数の運転機能を表示する表示部と、複数の運転機能及びデモ機能を音声で報知するスピーカを有する音声装置と、前記操作スイッチの設定に基づいて冷蔵庫の冷却運転、前記表示部及び前記音声装置を制御する制御装置とを備え、前記制御装置は、運転機能が設定されたときにその運転機能に関する内容を表示しかつデモ機能が設定されたときにデモ機能に関する内容を表示するように制御する表示制御手段と、運転機能が設定されたときにその運転機能に関する内容を前記スピーカで音声報知するように制御し、かつデモ機能が設定されたときにデモ機能に関する内容を前記スピーカで音声報知するように制御する音声制御手段とを有し、前記音声制御手段は冷蔵庫の持つ複数の運転機能を説明する音声内容を前記スピーカで音声報知するように制御する構成にしたことにある。
【００１９】
　本発明の第５の特徴は、冷蔵庫扉の前面部に配置されかつ複数の運転機能及びデモ機能を設定する複数の操作スイッチと、冷蔵庫扉の前面部に配置されかつ複数の運転機能を表示する表示部と、複数の運転機能及びデモ機能を音声で報知するスピーカを有する音声装置と、前記操作スイッチの設定に基づいて冷蔵庫の冷却運転、前記表示部及び前記音声装置を制御する制御装置とを備え、前記制御装置は、運転機能が設定されたときにその運転機能に関する内容を表示しかつデモ機能が設定されたときにデモ機能に関する内容を表示するように制御する表示制御手段と、運転機能が設定されたときにその運転機能に関する内容を前記スピーカで音声報知するように制御しかつデモ機能が設定されたときにデモ機能に関する内容を前記スピーカで音声報知するように制御する音声制御手段とを有する構成にしたことにある。
【００２０】
　上述した第５の特徴において、特に好ましくは、前記音声制御手段はデモ機能が設定されたときにデモ機能に関する内容を運転機能に関する音声報知より大きな音量で音声報知するように制御するものである。
【００２１】
　上述した構成において、特に好ましくは、前記制御装置が配される基板内にデモ機能状態を記憶する不揮発性メモリの記憶部を備えたものである。
【発明の効果】
【００２２】
　本発明によれば、複数の運転機能を複数の操作スイッチで設定するものにおいて、各運転機能に関する内容を音声報知することにより使い勝手を向上した冷蔵庫を提供することができる。
【００２３】
　また、本発明によれば、複数の運転機能を複数の操作スイッチで設定するものにおいて、各運転機能に関する内容の表示と音声報知をすることにより使い勝手を向上した冷蔵庫を提供することができる。
【００２４】
　また、本発明によれば、複数の運転機能を複数の操作スイッチで設定するものにおいて、制御装置をメインマイコンと操作部マイコンに分離して操作部マイコンの制御で各運転機能に関する内容の表示と音声報知をすることにより使い勝手を向上した冷蔵庫を提供することができる。
【００２５】
　また、本発明によれば、複数の運転機能を複数の操作スイッチで設定するものにおいて、各運転機能に関する内容の表示と音声報知をすることにより使い勝手を向上すると共に、デモンストレーション効果の高いデモ機能を簡単に設定できる冷蔵庫を提供することができる。
【００２６】
　また、本発明によれば、複数の運転機能を複数の操作スイッチで設定するものにおいて、各運転機能及びボタンロックに関する内容の音声報知をすることにより使い勝手を向上した冷蔵庫を提供することができる。
【発明を実施するための最良の形態】
【００２７】
　以下、本発明の冷蔵庫の一実施の形態を図面を参照しつつ説明する。
【００２８】
　図１及び図２を用いて、本発明に係る冷蔵庫の構造の概略を説明する。図１は本発明の一実施の形態に係る冷蔵庫の正面図、図２は同冷蔵庫の構造の概略を示す縦断面図である。
【００２９】
　冷蔵庫本体１は、外箱２と内箱３とこれらの間に充填された断熱材４とによって形成され、箱体状の形状を備えている。この冷蔵庫本体１は、物品を収納して貯蔵可能な貯蔵室を複数形成している。これらの貯蔵室は、上から、冷蔵室５、野菜室６、切替室７、製氷室８及び冷凍室９を有している。また、冷蔵室４内の底部には、氷温貯蔵室（以下では氷温室という）５ａが設けられている。
【００３０】
　これらの貯蔵室５〜９の前面側には貯蔵室を開閉する扉１０〜１４が設けられている。冷蔵室４の前面には冷蔵庫の左右いずれかの側に設けられた支持部により回動自在の支持された回転扉１０が設けられ、一方，野菜室６、切替室７、製氷室８及び冷凍室９の前面にはレール等によって引出し自在に支持された引出し扉１１〜１４が設けられている。さらに、冷蔵室５を形成する回転扉１０は、その閉状態で冷蔵室５内側に張り出す複数のポケット５ｂが設けられている。
【００３１】
　野菜室６と切替室７、製氷室８及び冷凍室９との間は、両室間の熱の伝達を低減するために、断熱材を有する断熱仕切壁１５により区画されている。野菜室６、切替室７、製氷室８及び冷凍室９の後方には、冷却器１６、冷却器用ファン１７が配置された冷却器室１８形成されている。この冷却器室１８と野菜室６との間に断熱仕切壁１５が介在するように、野菜室６の後方で上下方向に断熱仕切壁１５が延在して形成されている。
【００３２】
　冷却器室１８において、冷却器１６の上方には冷却器用ファン１７が配置されている。冷却器室１８の上方には、冷蔵室６とこの冷却器室１８とを連通し、その内部を冷却器１６により冷却された冷気が流れる冷気通路１９が形成されており、ファン１７の後方側に設けられたファン用モータ２０が駆動することで回転するファン１７により冷気が冷気通路１９を通り冷蔵室５に供給される。この冷気通路１９には、冷蔵室５の温度を適切な範囲に調節するために冷蔵室５へ供給される冷気の量を調節するダンパフラップ２１が設けられている。
【００３３】
　また、冷却器１６により冷却された冷気は、同時に、ファン１６から前方に向けて流出し、冷却器室１８と野菜室６或いは切替室７、製氷室８及び冷凍室９との間に配置された冷気通路２２を下降して切替室７、製氷室８及び冷凍室９に流入し、切替室７、製氷室８及び冷凍室９を冷却する。
【００３４】
　冷却器室１８からダンパフラップ２１を介して冷気通路１９を通る冷気は、ダンパフラップ２１を通過後、冷蔵室６の背面側を内箱３の壁面に沿って上昇するように冷気通路１９が形成されている。また、この冷気通路１９は、冷蔵室５の後方で複数の通路に分岐されている。この分岐された冷気通路は、冷蔵室５の背面両側部に上下にわたって延びている。冷蔵室５内には、上下方向に間隔をあけて複数配置された棚２３が配置され、冷蔵室５内が上下の区画された空間を形成するようになっている。この区画された空間は、扉のポケット５ｂと棚２３との間隙により上下に連通している。棚２３によって形成された各空間と分岐した冷気通路とを連通して、冷気が冷蔵室２３に向けて流出する冷気吐出口が上下にわたって複数形成されている。
【００３５】
　複数の冷気通路の間に位置する冷蔵室５の背面中央部には、ほぼ円筒形の形状をした通風ダクト２５と、この通風ダクト２５に冷蔵室５の冷気を供給するための冷蔵室用ファン２６とが配置されている。通風ダクト２５は縦長であり、冷蔵室用ファン２６はその下方に配置され、これらが冷蔵室５の背面中央部に上下に延在して設けられている。
【００３６】
　冷蔵室用ファン２６は、その左右両側に設けられた冷蔵室内冷気吸込口から冷蔵室５の冷気を吸込み、吹出した冷気を通風ダクト２５に供給する。この通風ダクト２５は、内側を冷気が流れるよう中空にされており、冷蔵室５の各棚２３で区画された空間に対応した位置にダクト吐出口が上下わたって複数形成され、冷蔵室用ファン２６により供給された冷気がこのダクト吐出口から図２矢印に示すように冷蔵室５内に吐出される。このダクト吐出口からの冷気の吐出速度は、冷気吐出口からの冷気の吐出速度よりも大きくなるように、通風ダクト２５、冷蔵室用ファン２６及びその他の構成が設定されている。冷蔵室５内の各棚２３で区画された空間に送られた冷気は、冷蔵室５の前方へ流れ、各棚２３の前端部を過ぎると、矢印に示すようにこの棚２３とポケット５ｂとの間隙より下降する。下降した冷気は、矢印に示すように、氷温室５ａの上面側の棚面の上方を冷蔵室５の後方へ流れ、吸込口から冷蔵室用ファン２６に吸込まれる。このように、冷蔵室用ファン２６及び通風ダクト２５は、冷蔵室５内の冷気を循環させる手段である。この冷蔵室ファン２６及び通風ダクト２５による冷蔵室５の冷気の通風路は、冷却器１６を通ることなく、冷却器１６とは独立している。また、冷蔵室用ファン２６は、冷蔵室５の背面両側下部の吸込口から流入した冷蔵室の冷気を前面から吸込んで、上方の通風ダクト２５に向け吹出す遠心ファンである。
【００３７】
　通風ダクト２５を駆動するモータ２９は、通風ダクト２５の上方に配置され、上下に延びる円筒状通風ダクト２５を上下方向の軸に沿って回転する。この通風ダクト２５の回転によりダクト吐出口の向きが変えられ、このダクト吐出口から冷蔵室５に吐出される冷気の向きが調節される。
【００３８】
　通風ダクト２５内に設けられた風向板３０は、各ダクト吐出口に対応した位置、例えばダクト吐出口のすぐ上に位置して、通風ダクト２５内の通路を横切るように形成され、通風ダクト２５内を下方から上方に流れてきた冷蔵室内冷気の一部を冷蔵室５の方向に向きを変えてダクト吐出口から速い速度で流れ出やすくしている。
【００３９】
　冷却器室１８から供給される冷気を吹出す吐出口と冷蔵室５から吸込んだ冷気を吹出すダクト吐出口とから冷蔵室５内に吐出された冷気は、一部が冷蔵室用ファン２６及び通風ダクト２５とを介して冷蔵室５内を循環するが、残る冷気の内の一部は冷蔵室５の下方に形成され野菜室６と連通した開口３１から野菜室６に流入する。野菜室６に流入した冷気は、野菜室６内の容器の上方を冷蔵庫前方に向けて流れ、容器の前部を下降した後、容器の下部を後方に向けて流れ、図示しないが野菜室６内に形成された戻り開口及び冷気戻り通路を通り冷却器室１８に戻る。
【００４０】
　このように、冷蔵庫内の冷気は、冷却器１６により冷却された冷気が冷却器用ファン１７の回転により冷却器室１８から冷蔵室５或いは野菜室６を介して冷却器室１８に戻る循環の経路と、冷蔵室内の冷気が冷蔵室用ファン２６により吸込まれて通風ダクト２５を通って冷気吐出口から冷蔵室５に流れ出て再度冷蔵室用ファン２６に流入する循環の経路とを備えているものである。
【００４１】
　遠心ファン２６は、通風ダクト２５の下方に配置され、冷蔵室用ファン２６の左右両側に冷気の吸込口が形成されている。この吸込口と冷蔵室用ファン２６の間には流入通路３５が形成されている。そして、この流入通路３５には、この通路を流れる冷気の温度を検出する温度検出手段である冷蔵室温度センサが配置されている。冷蔵室温度センサが検出した温度に基づいて、冷蔵室５内の温度を判定して、ダンパフラップ２１による冷気の流れの調節が行われる。例えば、判定された温度が予め定められた温度より高く、冷蔵室５の冷却が必要と判断されると、ダンパーフラップ２１が開かれる。また、判定された温度が予め定められた温度より低く、冷却を必要としないと判断されると、ダンパーフラップ２１が閉じられる。
【００４２】
　また、冷蔵室５内の各棚２３により区画された貯蔵空間の温度を検出するために、各棚２３の貯蔵空間に対応したそれぞれの高さ位置で、かつ棚２３とポケット５ｂとの間に位置する左右側壁面に温度検出手段である方向判定センサ３７が配置されている。この方向判定センサ３７は、棚２３により区画された貯蔵空間を前方に向けて流れてきた冷気の温度を検出する。この冷気は、棚２３の前端部に達すると、ポケット５ｂを冷却すると共に、ポケット５ｂとの間の空間を冷蔵庫下方に向けて下降して、下方に配置された冷蔵庫用ファン２６への冷気流入口２７及び氷温室５ａの下方に形成された開口３１に向かう。
【００４３】
　方向判定センサ３７は、棚２３で区画された貯蔵空間を流れたきた冷気の温度を検出する。棚２３の上面に貯蔵物が載置されている場合には、流れる冷気は貯蔵物と熱交換して温度が変化する。方向判定センサ３７は冷蔵室５を形成する左右両側壁面に上下にわたって複数配置されているので、各棚２３上方の左右両側に流れてくる冷気の温度を検出し、両側の温度を比較して左右どちらの側の冷気温度が高いかが検出される。そして、検出された高い方の側の温度が冷蔵室５の設定された温度よりも高い場合には、通風ダクト２５の冷気吐出口の向きが検出された温度の高い側の予め定められた方向に向けられるように、通風ダクト２５が回転されて停止する。そして、冷蔵庫用ファン２６の回転により通風ダクト２５に供給された冷気が吐出口より冷蔵室５の検出された温度の高い側に向けて吹出される。
【００４４】
　冷蔵庫の前面上部に位置する冷蔵庫扉１０の前面部には操作パネル５６が配置され、この操作パネル５６には操作スイッチ６０及び表示部７０が左右に並置されている。表示部７０は縦長に形成され、操作スイッチ６０はこれに沿って縦に複数設けらている。これらの詳細については後述する。
【００４５】
　圧縮機３８は、冷蔵庫本体１の背面下部に配置され、冷凍サイクルの一部を形成して冷媒の圧縮を行なうものである。また、制御装置３９（図５参照）は、メインマイコン５１が冷蔵庫本体１の背面上部に配置され、操作部マイコン５２が操作パネル５６の裏側に配置されている。
【００４６】
　次に、圧縮機３８の駆動運転について図３及び図４を参照しながら説明する。図３は本発明における圧縮機の駆動装置の回路図、図４は同圧縮機の回転数に対する直流電圧及び流通率を示す特性図である。
【００４７】
　圧縮機３８は、商用電源４１にコンバータ回路４２及びインバータ回路４３を介して接続された圧縮機駆動用電動機４４と、この電動機４４により回転されて冷媒を圧縮する圧縮機構４５とを備えている。商用電源４１は、家庭用冷蔵庫の場合には一般家庭におけるコンセントであり、冷蔵庫側の差込プラグ（図示せず）を挿入することによって冷蔵庫に受電される。
【００４８】
　コンバータ回路４２は、整流回路を構成するダイオード４２ａ〜４２ｄと、昇圧チョッパ回路を構成するリアクタ４２ｅ、ダイオード４２ｆ及びトランジスター等のパワーデバイスであるスイッチング素子４２ｇとを備えている。この整流回路は、受電した交流電力を直流電力に変換して昇圧チョッパ回路に出力する。この昇圧チョッパ回路は、整流回路の出力側に接続され、スイッチング素子４２ｇのスイッチング動作及びリアクタ４２ｅのエネルギー蓄積効果により、入力電流を強制的に流して電圧を昇圧する。この昇圧された直流電圧は平滑用コンデンサ４６に供給され、安定した直流電力を出力する。
【００４９】
　この昇圧動作をさらに具体的に説明する。ダイオード４２ａ側がプラスでスイッチング素子４２ｇがオンしているときに、電流が、交流電源４１、ダイオード４２ａ、リアクタ４２ｅ、スイッチング素子４２ｇ、ダイオード４２ｄ、交流電源４１の順に流れ、リアクタ４２ｅに電磁エネルギーが蓄積される。この時、スイッチング素子４２ｇをオフすると、リアクタ４２ｅから逆流防止用のダイオード４２ｆを介して平滑用のコンデンサ４６に電流が流れ、電磁エネルギーがコンデンサ４６に移されてコンデンサ４６の電圧が上昇する。これにより直流ステージ電圧を上昇させるのである。
【００５０】
　このコンデンサ４６には、電動機４４を回転させるための回転磁界を発生させる交流に変換するインバータ４３が接続されている。インバータ４３には電動機４４が接続されている。この電動機４４が駆動する圧縮機構４５は、詳細図示しないが、電動機４４と共に密閉容器内に収納されており、主にレシプロタイプの圧縮機構である。その他、ロータリタイプやスクロールタイプの圧縮機構であっても構わない。
【００５１】
　インバータ４３は、３相インバータであり、スイッチング素子４３ａ〜４３ｆとして本実施形態ではＩＧＢＴ（インシュレーテッド　ゲート　バイポーラ　トランジスタ）が用いられている。これらスイッチング素子４３ａ〜４３ｆにはそれぞれ並列に還流ダイオード４３ｇ〜４３ｌが接続されている。
【００５２】
　そして、コンデンサ４６から供給される直流を設定された回転数になるよう電動機４４の回転位置検出の出力に基づいて１２０度通流を行い、各相の通流期間における通流率の制御（パルス幅制御）を行い電動機４４の回転数を制御する。
【００５３】
　図４に示すように、電動機４４を駆動させる電圧は、例えば１８００から２４００回転までは、ＰＡＭ制御により直流電圧を１５０Ｖ一定に制御し、 ＰＷＭ制御の流通率を５０％から１００％の範囲で可変にすることにより電動機４４の回転数の可変を行い、さらには、２４００回転以上４２００回転までは、ＰＷＭ制御の流通率を１００％一定にし、ＰＡＭ制御によりリニアに直流電圧を１５０Ｖから３００Ｖの範囲で可変させて電動機４４の回転数を変化させる。
【００５４】
　図７に示すスピード冷凍スイッチ６３を押すと、電動機４４の回転数を最大（例えば４８００回転）にするため、ＰＡＭ制御により印可する直流電圧を昇圧させ、スピード冷凍運転が行なわれる。
【００５５】
　また、図７に示すスピード解凍スイッチ６２が数秒間（例えば３秒）長押しすると、電動機４４の高速回転（例えば３８００回転以上）を禁止して、できるだけ低速で運転させるように制御し、 ＰＡＭ制御による省エネ運転が行われるものである。
【００５６】
　次に、冷蔵庫の制御回路の構成を図５を参照しながら説明する。図５は本発明の冷蔵庫の制御回路の構成ブロック図である。
【００５７】
　制御装置３９は、冷蔵庫全体を制御するメインマイコン５１と、操作部を主に制御する操作部マイコン５２とを備えている。このメインマイコン５１は、操作部マイコン５２からの制御信号や冷蔵庫に設けられた各種センサ（例えば、温度センサ、方向判定センサ３７等）の検出信号等に基づいて、庫内制御や圧縮機３８の運転を制御し、各種冷却運転等を制御するものである。操作部マイコン５２は、メインマイコン５１からの制御信号や操作スイッチ６０の設定信号等に基づいて、表示部７０、音声装置８０及びブザー５４等を制御する。なお、メインマイコン５１と操作部マイコン５２とは通信により互いに信号をやり取りするようになっている。このように、制御装置３９をメインマイコン５１と操作部マイコン５２に分離することにより、両マイコン５１、５２の各制御分担が軽くなり、操作部マイコン５２で音声装置８０及びブザー５４の制御を含む操作部における制御を容易に行なうことができる。
【００５８】
　操作スイッチ６０は、製品機能を設定するものであり、複数の操作スイッチ６１〜６８より構成され、操作部マイコン５２に接続されている。この製品機能は、貯蔵室の冷却に関する運転機能と、時間を計るタイマー機能と、店頭等における展示時にデモンストレーション効果を高めるデモ機能と、各種センサの検出結果等に基づいて注意を喚起する警報機能と、操作スイッチ６０を子供等にいたずらされないようにその押しボタンをロックするボタンロック機能等を含むものである。また、表示部７０は、液晶パネルが構成され、その液晶パネル内が複数の領域に区分され、設定された製品機能の内容を表示するものであり、操作部マイコン５２に接続されている。
【００５９】
　音声装置８０は、設定された音声データを記憶している音声ＩＣ８１と、この音声ＩＣ８１から出力された音声データを増幅するアンプ８２と、このアンプ８２から出力された音声データを音声として出力するスピーカ８３とからなっており、操作部マイコン５２により制御されるように接続されている。また、ブザー５４は、ブザー音を発するものであり、音声装置８０とは独立しており、操作部マイコン５２により制御されるように接続されている。なお、ブザー音を音声装置８０より発するようにしてもよい。
【００６０】
　次に、制御基板５５に関する構成を図６を参照して説明する。図６は本発明における制御基板部の正面図である。
【００６１】
　制御基板５５は、表側に操作スイッチ６０及び表示部７０を左右に並置し、表示部７０が位置している部分の裏側に操作部マイコン５２や音声ＩＣ８１やアンプ８２といったＩＣ関係の部品を実装している。これにより、操作基板５５の実装面積を小型化できる。
【００６２】
　操作スイッチ６０は複数の操作スイッチ６１〜６８より構成されている。スピード冷却スイッチ６１は、スイッチ本体６１ａ、押しボタン６１ｂ及びＬＥＤ６１ｃより構成されている。スピード解凍スイッチ６２は、スイッチ本体６２ａ、押しボタン６２ｂ及びＬＥＤ６２ｃより構成されている。スピード冷凍スイッチ６３は、スイッチ本体６３ａ、押しボタン６３ｂ及びＬＥＤ６３ｃより構成されている。切換室設定スイッチ６４は、スイッチ本体６４ａ及び押しボタン６４ｂより構成されている。タイマー設定スイッチ６５は、スイッチ本体６５ａ、押しボタン６５ｂ及びＬＥＤ６５ｃより構成されている。冷蔵室温度設定スイッチ６６は、スイッチ本体６６ａ及び押しボタン６６ｂより構成されている。冷凍室温度設定スイッチ６７は、スイッチ本体６７ａ及び押しボタン６７ｂより構成されている。製氷スイッチスイッチ６８は、スイッチ本体６８ａ及び押しボタン６８ｂより構成されている。なお、押しボタン６１ｂ〜６８ｂは図７に図示されている。
【００６３】
　スピード冷却スイッチ６１、スピード解凍スイッチ６２、スピード冷凍スイッチ６３及びタイマー設定スイッチ６５は、それが押されて該当する製品機能が設定されているときに、押しボタン６１ｂ、６２ｂ、６３ｂ、６５ｂがＬＥＤ６１ｃ、６２ｃ、６３ｃ、６５ｃにより発光されるように構成されている。
【００６４】
　次に、操作パネル５６における操作スイッチ６０及び表示部７０について図７及び図８を参照して説明する。図７は本発明の冷蔵庫における操作パネルの正面図、図８は操作パネルに設けられた表示部の拡大図である。
【００６５】
　前述したように、操作パネル５６には操作スイッチ６０と表示部７０が設けられている。操作スイッチ６０を構成する各操作スイッチ６１〜６８の押しボタン６１ｂ〜６８ｂを押下することにより、所定の製品機能が設定され、設定された製品機能に対応する制御が行われると共に、表示部７０の各領域に設定された製品機能に関する表示が行われる。
【００６６】
　スピード冷却スイッチ６１は冷蔵室５内の食品を冷却するファン２６を運転させるものであり、スピード解凍スイッチ６２は冷蔵室５内の食品を解凍するファン２６を運転させるものであり、スピード冷凍スイッチ６３は圧縮機３８の回転数を最大回転させて冷凍室９の食品を冷凍するものであり、切替室設定スイッチ６４は切替室７の異なる温度帯の冷却運転の設定を行うものであり、タイマー設定スイッチ６５はタイマー機能の設定及びスタート、リセットを行うものであり、冷蔵室温度設定スイッチ６６は冷蔵室５の温度を設定するものであり、冷凍室温度設定スイッチ６７は冷凍室９の温度を設定するものであり、製氷スイッチ６８は製氷停止、製氷一時停止、製氷運転を切替えるものである。
【００６７】
　スピード冷却スイッチ６１を押すと、スピード冷却運転モードが設定され、表示部７０のスピード冷却解凍表示部７１ａの全体が点灯すると共に、冷蔵室用ファン２６が運転され、かつ円筒状通風ダクト２５が方向判定センサ３７で検出した方向に回転して冷蔵室５のスピード冷却運転が行われる。再度スピード冷却スイッチ６１を押すたびに冷却する場所順に円筒状通風ダクト２５の位置を左、中央、右とそれぞれ指定することができる。更にスピード冷却スイッチ６１を押すと、スピード冷却運転が停止される。
【００６８】
　また、このスピード冷却スイッチ６１は、運転時にはＬＥＤ６１ｃが点灯すると共に、子供がいたずらしないための機能であるボタンロック機能も兼ねている。このボタンロック機能は、スピード冷却スイッチ６１を数秒間（例えば３秒）長押しすることでボタンロックモードが設定されてスピード解凍スイッチ６２による新たな設定を禁止し、スピード冷却スイッチ６１の押下時間の長短でスピード冷却運転と区別をしている。このボタンロック時は表示部７０のボタンロック表示７１ｂが点灯する。なお、更にスピード冷却スイッチ６１を数秒間長押しすることによりボタンロック機能が解除される。
【００６９】
　スピード解凍スイッチ６２を押すと、スピード解凍運転モードが設定され、表示部７０のスピード冷却解凍表示部７１ａが点灯すると共に、冷蔵室用ファン２６が高速で運転され、かつ円筒状通風ダクト２５が方向判定センサ３７で検出した方向に回転して冷蔵室５のスピード解凍運転が行われる。再度スピード冷却スイッチ６１を押すたびに解凍する場所順に円筒状通風ダクト２５の位置を左、中央、右とそれぞれ指定することができる。更にスピード冷却スイッチ６１を押すとスピード解凍運転を停止する。
【００７０】
　また、このスピード解凍スイッチ６２は、運転時にはＬＥＤ６２ｃが点灯すると共に、ＰＡＭ制御による省エネ運転機能も兼ねている。この省エネ運転機能は、スピード解凍スイッチ６２を数秒間（例えば３秒）長押しすることで設定され、スピード解凍スイッチ６２の押下時間の長短でスピード解凍運転と区別をしている。この省エネ運転時は、表示部７０の省エネ表示７２ｂが点灯する。なお、更にスピード解凍スイッチ６２を数秒間長押しすることにより省エネ運転機能が解除される。
【００７１】
　スピード冷凍スイッチ６３を押すと、スピード冷凍運転モードが設定され、表示部７０のスピード冷凍表示部７３ａが点灯すると共に、電動機４４が高速で運転され、スピード冷凍運転が行われる。更にスピード冷凍スイッチ６３を押すと、スピード冷凍運転が停止される。
【００７２】
　このスピード冷凍スイッチ６３は、運転時にはＬＥＤ６３ｃが点灯すると共に、音声／ブザー切替モードを設定する機能も兼ねている。この音声／ブザー切替モードはスピード冷凍スイッチ６３を数秒間（例えば３秒）長押しすることで設定され、スピード冷凍スイッチ６３の押下時間の長短でスピード冷凍運転と区別をしている。音声出力オフ時は表示部７０の音声出力表示７３ｂの音声側が消灯し、ブザー出力オフ時は音声出力表示７３ｂのブザー側が消灯する。スピード冷凍スイッチ６３の長押しする毎に、ブザー／音声ともに出力、ブザーのみ出力、及び両出力無しの３パターンの設定が切替えられる。
【００７３】
　切替室設定スイッチ６４を押すと、切替室運転モードが設定され、切替室設定スイッチ６４を押すたび毎に、切換室７を冷凍、ソフト冷凍、パーシャル、氷温、チルド、冷蔵、ワインの７つ温度帯にする切替運転が行なわれると共に、切替室表示部７４の冷凍、ソフト冷凍、パーシャル、氷温、チルド、冷蔵、ワインの何れかの切替運転表示部が指定されて点灯するものである。
【００７４】
　タイマー設定スイッチ６５を押すと、表示部７０のタイマー表示部７５が点灯すると共に、冷蔵室表示部７６の冷蔵室温度表示部７６ｂ及び冷凍室表示部７７の冷凍室温度表示部７７ｂがタイマー機能による表示に変更される。即ち、タイマー設定スイッチ６５を押した後、冷蔵室温度設定スイッチ６６を押すと分が設定でき、冷凍室温度設定スイッチ６７を押すと秒が設定できる。その後、タイマー設定スイッチ６５を再び押すとタイマー時間モードが設定され、設定されたタイマー時間のカウントが開始される。尚、タイマー動作時はＬＥＤ６５ｃが点灯する。再度、タイマー設定スイッチ６５を押すと設定されたタイマー時間がリセットされる。
【００７５】
　冷蔵室温度表示部７６ｂと冷凍室温度表示部７７ｂは、２桁の７セグメント表示方式となっており、上下に隣接して並置されているので、この両者で分と秒を表示した場合に、両者を連続して分と秒の順に容易に認識することができる。特に、タイマー表示部７５と冷蔵室温度表示部７６ｂと冷凍室温度表示部７７ｂとを上下に配置したことにより、その認識性を格段に向上することができる。そして、６０秒を複数で割切れる５秒の倍数の長さ（本実施形態では１０秒）で冷凍室温度表示部７７ｂの秒の設定を行なうようにしている。これにより、秒の設定を短時間で行なうことができ、使い勝手を良好なものとすることができる。
【００７６】
　冷蔵室温度設定スイッチ６６を押すことにより冷蔵室温度設定モードが設定され、冷蔵室温度設定スイッチ６６を繰り返し押すことにより冷蔵室５の温度設定が弱から強の５段階に設定され、その設定された強さの冷却運転が行われると共に、冷蔵室設定表示７６ａ（弱〜強）のカーソルが移動する。前述したが、この冷蔵室温度設定スイッチ６６は、タイマーの分設定スイッチを兼ねている。なお、冷蔵室温度表示部７６ｂには、温度センサにより検出された冷蔵室５の温度が表示される。
【００７７】
　冷凍室温度設定スイッチ６７を繰り返し押すと、冷凍室９の温度設定を弱から強の５段階に設定され、その設定された強さの冷却運転が行われると共に、冷凍室表示部７７の冷凍室設定表示７７ａ（弱〜強）のカーソルが移動する。前述したが、この冷凍室温度設定スイッチ６７は、タイマーの秒設定スイッチを兼ねている。なお、冷凍室温度表示部７６ｂには、温度センサで検出された冷凍室温度が表示される。
【００７８】
　製氷スイッチ６８を繰り返し押すことにより、製氷停止、製氷一時停止、製氷運転が設定され、その設定された製氷運転が行なわれると共に、製氷表示部７８の製氷停止表示７８ａ、製氷一時停止表示部７８ｂ、及び製氷運転状態である表示無しが切替えられる。この製氷スイッチ６８は、製氷おそうじスイッチを兼ねており、例えば５秒間の長押しすることにより、製氷機の掃除ができる。製氷機の掃除中はおそうじ表示７８ｃが点灯する。
【００７９】
　操作スイッチ６１〜６８は形及び大きさの組合せで３種類の押しボタン６１ｂ〜６８ｂを備えている。これにより、操作スイッチ６１〜６８の種別を押しボタン６１ｂ〜６８ｂで容易に認識することができ、その操作を確実に行なうことができる。特に、操作スイッチ６１〜６７の３種類の押しボタン６１ｂ〜６７ｂは、急速な冷却運転を設定する押しボタン６１ｂ〜６３ｂと貯蔵室の温度を設定する押しボタン６６ｂ、６７ｂとを異なる形にすると共に、切替室７の異なる運転機能を設定する押しボタン６４ｂを他の押しボタン６１ｂ〜６３ｂ、６６ｂ、６７ｂより小さくしている。これにより、使用頻度が一般に高い押しボタン６１ｂ〜６３ｂ、６６ｂ、６７を容易に操作することができると共に、使用頻度が一般に低く冷却する食品に与える影響が特に大きな押しボタン６４ｂを誤って操作する可能性を低減することができる。なお、具体的には、押しボタン６１ｂ〜６３ｂは略楕円形状で大きく、押しボタン６６ｂ、６７ｂは略長方形状で大きく、押しボタン６４ｂ、６８ｂは略長方形状で小さく形成されている。
【００８０】
　ここで、音声装置８０による音声出力について説明する。スピード冷却スイッチ６１を押すと、表示部７０のスピード冷却解凍表示７１ａが点灯するとともに、ブザー５４よりブザー音が出力された後、例えば「スピード冷却を始めます」とスピーカ８３より音声が出力される。そして、所定時間後にスピード冷却運転の設定が終了すると、例えば「スピード冷却を終わります」とスピーカ８３より音声が出力される。
【００８１】
　同様に、スピード冷凍スイッチ６３を押すと、表示部７０のスピード冷凍表示部７３ａが点灯するとともに、ブザー５４よりブザー音が出力された後、例えば「スピード冷凍を始めます」と音声が出力される。そして、所定時間後にスピード冷凍運転の設定が終了すると、例えば「スピード冷凍を終わります」とスピーカ８３より音声が出力される。
【００８２】
　また、切替室設定スイッチ６４で冷凍、ソフト冷凍、パーシャル、氷温、チルド、冷蔵、ワインの７つの温度帯を切替えることが出来るが、パーシャルに設定すると、ブザー５４よりブザー音が出力された後、例えば「パーシャルに設定しました。お肉やお魚、その加工に適しています。少し凍らせて保存しますので、煮たり焼いたりするものに適しています」と音声が出力され、運転機能及びその具体的内容を知らせることができる。このように、本実施の形態では、設定された切替室７の運転機能及びその具体的内容を音声で知らせる機能になっている。
【００８３】
　なお、操作スイッチによる設定がなされたときには、何れにおいても、ブザー音が出力された後に、各設定された機能に対応する音声が出力されるようになっている。
【００８４】
　次に、デモ機能について説明する。デモ機能は前述したように店頭等における展示時にデモンストレーション効果を高めるためのものである。即ち、顧客は、冷蔵庫購入時に、冷蔵庫の仕様やデザインを実際に店頭等で実物とカタログで確認し、購入する冷蔵庫を選択することが多い。そこで、顧客に冷蔵庫の機能や特徴がわかりやすいようにデモ機能が設けられている。このデモ機能は、冷蔵室扉１０を開けた状態で、例えば製氷スイッチ６８及び冷凍室温度設定スイッチ６７を同時に数秒間（例えば５秒間）押すことにより、デモモードが確定され、表示部７０のデモ中表示７９が行われる。
【００８５】
　デモ機能としては、例えば前述した冷蔵室５内の食品を冷却するスピード冷却運転時や、冷蔵室５内に冷凍された食品を入れ解凍を行うスピード解凍運転時には、ファン２６や円筒状通風ダクト２５は冷蔵室の扉が閉まっている状態で運転されるが、これでは顧客がこれらがどのように動いているのかわからない。このため、デモ機能設定時は、冷蔵室用ファン２６や円筒状通風ダクト２５は冷蔵室１０の扉が開いているときでもこれらを運転させる。
【００８６】
　また、デモ機能時には、例えば冷蔵室温度設定スイッチ６６を押すと、音声で「冷蔵庫はスピードだ。ビールなら飲み頃までにフリーザー並みの３０分。スピード解凍は切り頃までたったの１５分。もちろんツインＰＡＭだから驚異の省エネ。世界初、ツインＰＡＭ冷蔵庫」といった冷蔵庫の持つ機能または特徴のコマーシャルを音声で出力する。
【００８７】
　このデモ機能は、雑音が８０ｄＢ程度の大きな場所で用いられることが多いことを考慮して、操作基板５５の操作部マイコン５２でデモ機能状態を確認し、アンプ８２で音声信号を通常使用時より増幅して音量を大きくするようにしている。なお、比較的雑音の小さい場所でも用いられることを考慮して、デモ機能時の音量は、例えばスピード冷凍スイッチ６３を設定された時間（例えば３秒）長押しすることにより、音量を通常使用時のレベルにすることができ、再度、長押しすることにより高いレベルにすることができるようになっている。
【００８８】
　また、デモ機能時には、表示部７０の切替室表示部７４は、冷凍、ソフト冷凍、パーシャル、氷温、チルド、冷蔵、ワイン表示を例えば１秒サイクルで周期的に点滅させ、顧客が注目するようにする。この際、切替室設定スイッチ６４である切替室に設定した場合は、この設定された切替室表示が所定時間点灯すると共に、スピーカ８３よりその設定された切替室の機能を音声で出力し、更には、所定時間経過後は再び周期的に表示を点滅させる。これによりデモンストレーション効果を格段に向上することができる。
【００８９】
　尚、スピード冷凍スイッチ６３を長押しすると、デモ機能時には前述したように音声の音量が可変できるが、通常使用時には音声出力のオン、オフを設定することができるものである。しかし、デモ機能は顧客に製品を説明するものであるため、デモ機能時には上記操作を行っても音声出力はオフにならないように設定してある。これにより、デモ機能時に誤って音声出力をオフしてしまうことを防止できる。
【００９０】
　同様に、スピード冷却スイッチ６１を長押しすると、子供がスイッチをいたずらしても庫内状態が変わらないようにボタンロックを行うボタンロック機能が設定されるが、デモ機能時には上記操作を行ってもボタンロックにならないように設定されている。これにより、デモ機能時に誤ってボタンロックをしてしまうことを防止できる。
【００９１】
　上記デモ機能は、従来、冷蔵庫背面に設置してある制御基板の設定されたピンを短絡させることによりデモ機能を切り替えていた。このピンを短絡させるためには、専用のコネクタを用意しなければならず、また、店頭に展示していたものを販売した場合に、この専用コネクタを外すのを忘れて顧客宅で正常動作しないことがある。そこで、前述したように操作パネル５６内の操作基板５５のスイッチを利用してデモ機能を設定することにより、従来の専用コネクタを不用にすることができる。
【００９２】
　一方、販売店等では、このデモ機能に設定した状態で、閉店後は冷蔵庫の電源をオフしてしまうことが多い。この場合には、次の日には再度デモ機能に設定しなければならない。そこで、デモ機能に一度設定した場合は、冷蔵庫の電源をオフしてもデモ機能状態を不揮発性メモリの記憶部５３に記憶しておき、再度電源が投入されてもデモ機能になるように操作基板５５内に冷蔵庫の状態が記憶可能になっている。
【００９３】
　但し、デモ機能に設定された状態で販売されると、顧客が通常運転をするために冷蔵庫の電源を投入しても正常動作しないため、デモ機能に設定された状態で冷蔵庫の電源が投入されると、所定時間（例えば１０秒）だけブザー５４によりブザー音が出力された後、音声で例えば「デモ機能に設定しました」と音声出力を行うようになっている。また、表示部７０にデモ中表示７９を表示ようになっている。これにより、仮にデモ機能が設定された状態で販売されても、顧客が冷蔵庫の電源を投入した際に、デモ機能に設定されていることを知らせることができる。なお、デモ機能の解除は、設定と同じ操作を再度行なうことにより可能である。
【００９４】
　次に、警報機能について説明する。警報機能は、前述したように、各種センサの検出結果等に基づいて注意等を喚起するものであるが、例えば扉の閉め忘れ時や故障時等にブザー音及び音声で警報するようになっている。
【００９５】
　また、冷蔵庫の圧縮機騒音が発生した場合に、従来、どの圧縮機回転数で騒音が出ているのかが簡単にわからなかった。 そこで、本実施形態では、冷蔵室温度表示部７６ｂ及び冷凍室温度表示部７７ｂの７セグメントを利用して、現在運転している圧縮機の回転数または回転数にマッチした文字や数字を表示できるようになっている。その表示方法としては、操作基板５５のスイッチを利用して、例えば冷蔵室設定スイッチ８６と冷凍室設定スイッチ８７を同時に数秒間押すことにより表示可能となっている。 尚、この操作は故障時にサービスマンが行うため、顧客が間違ってこの操作を行わなっても圧縮機回転数が表示されないように、例えば冷蔵庫の冷蔵室扉１０を開けた状態で前述したスイッチ操作を行った場合に圧縮機回転数が表示されるようにしてある。
【００９６】
　次に、操作部マイコン５２の基本的な制御動作に関して図９から図１２を参照して説明する。図９から図１２は本発明の冷蔵庫における制御部マイコンの動作フローチャート図である。
【００９７】
　冷蔵庫の電源が投入されると、表示部７０のＬＣＤが約３０秒間全点灯動作を行ない（ステップ１１０）、スピード冷却スイッチ６１が押されたかを判定する（ステップ１２０）。この判定でスピード冷却スイッチ６１が押されていない場合にはステップ１３０に進み、押されている場合にはスピード冷却スイッチ６１が長押しされたかを判定する（ステップ１２１）。この判定で長押しされていない場合には、スピード冷却運転モードが動作する（ステップ１２２）。このスピード冷却運転モードの動作は、設定時に、スピード冷却運転機能を設定すると共に、スピード冷凍解凍表示７１ａを点灯し、更にはブザー音の出力に続いて音声の出力を行ない、所定時間経過後に、ブザー音の出力に続いて音声の出力を行なうと共に、スピード冷凍解凍表示７１ａを消灯するものである。
【００９８】
　ステップ１２１で長押しされている場合には、ボタンロックモードが動作した後（ステップ１２３）、ステップ１３０に進む。このボタンロックモードは、ボタンロック表示７１ｂを表示すると共に、スピード冷凍スイッチ６３による新たな設定を禁止し、同時にブザー音の出力に続いて音声の出力を行なうものである。
【００９９】
　ステップ１３０でスピード解凍スイッチ６２が押されたかを判定し、スピード解凍スイッチ６２が押されていない場合にはステップ１４０に進み、押されている場合にはスピード解凍スイッチ６２が長押しされたかを判定する（ステップ１３１）。この判定で長押しされていない場合には、スピード解凍運転モードを動作する（ステップ１３２）。このスピード解凍運転モードの動作は、設定時に、スピード解凍運転機能を設定すると共に、スピード冷凍解凍表示７１ａを点灯し、更にはブザー音の出力に続いて音声の出力を行ない、所定時間経過後に、ブザー音の出力に続いて音声の出力を行なうと共に、スピード冷凍解凍表示７１ａを消灯するものである。
【０１００】
　ステップ１３１で長押しされている場合には、省エネ運転モードを動作し（ステップ１３３）、その後ステップ１４０に進む。この省エネ運転モードは、省エネ表示７２ｂを表示すると共に、同時にブザー音の出力に続いて音声の出力を行なうものである。
【０１０１】
　ステップ１４０でスピード冷凍スイッチ６３が押されたかを判定し、スピード冷凍スイッチ６３が押されていない場合にはステップ１５０に進み、押されている場合にはスピード冷凍スイッチ６３が長押しされたかを判定する（ステップ１４１）。この判定で長押しされていない場合には、スピード冷凍運転モードを動作する（ステップ１４２）。このスピード冷凍運転モードの動作は、設定時に、スピード冷凍運転機能を設定すると共に、スピード冷凍表示部７３ａを点灯し、更にはブザー音の出力に続いて音声の出力を行ない、所定時間経過後に、スピード冷凍表示部７３ａを消灯するものである。
【０１０２】
　ステップ１４１で長押しされた場合には、音声／ブザー切替モードを動作した後（ステップ１４３）、ステップ１４０に進む。この音声／ブザー切替モードは、前述した通り、スピード冷凍スイッチ６３の長押しする毎に、ブザー／音声ともに出力、ブザーのみ出力、及び両出力無しの３パターンの設定が切替えられるものである。
【０１０３】
　ステップ１５０で切替室設定スイッチ６４が押されたかを判定し、切替室設定スイッチ６４が押されていない場合にはステップ１６０に進み、押されている場合には切替室運転モードを動作し（ステップ１５１）、ステップ１６０に進む。この切替室運転モードの動作は、切替室設定スイッチ６４が押される毎に、切換室７を冷凍、ソフト冷凍、パーシャル、氷温、チルド、冷蔵、ワインの７つ温度帯に切替る運転を行なうと共に、その設定時にブザー音の出力に続いて音声の出力を行ない、設定された切替室表示部７４を点灯するものである。
【０１０４】
　ステップ１６０において、冷蔵室５及び冷凍室９の温度表示を行なう。この温度表示は、冷蔵室５及び冷凍室９の温度を温度センサで検出して、その温度データをメインマイコン５１から受信し、冷蔵室温度表示部７６ｂ及び冷凍室温度表示部７７ｂに表示されるものである。
【０１０５】
　次いで、ステップ１６１で冷蔵室温度設定スイッチ６６が押されたかを判定し、押されていない場合にはステップ１６３に進み、押されている場合には冷蔵室温度設定モードを動作させる（ステップ１６２）。この冷蔵室温度設定モードの動作は、冷蔵室温度設定スイッチ６６が押される毎に、冷蔵室５の冷却の強さを５段階に切替えて設定すると共に、設定された冷蔵室設定表示７６ａを点灯し、その設定時にブザー音の出力に続いて音声の出力を行なうものである。
【０１０６】
　次いで、ステップ１６３で冷凍室温度設定スイッチ６７が押されたかを判定し、押されていない場合にはステップ１７０に進み、押されている場合には冷凍室温度設定モードを動作させる（ステップ１６４）。この冷凍室温度設定モードの動作は、冷蔵室温度設定スイッチ６６が押される毎に、冷蔵室５の冷却の強さを５段階に切替えて設定すると共に、設定された冷凍室設定表示７７ａを点灯し、その設定時にブザー音の出力に続いて音声の出力を行なうものである。
【０１０７】
　次いで、ステップ１７０でタイマー設定スイッチ６５が押されたかを判定し、タイマー設定スイッチ６５が押されていない場合にはステップ１８０に進み、押されている場合にはその後の所定時間内に冷蔵室温度設定スイッチ６６または冷凍室温度設定スイッチ６７が押されたかを判定する（ステップ１７１）。この判定で押されていない場合にはステップ１８０に進み、押されている場合にはその後の所定時間内に再度タイマー設定スイッチ６５が押されたかを判定する（ステップ１７２）。この判定で押されない場合にはステップ１８０に進み、押された場合にはタイマー時間モードを動作する。
【０１０８】
　次いで、ステップ１８０で製氷スイッチ６８が押されたかを判定し、製氷スイッチ６８が押されていない場合にはステップ１９０に進み、押されている場合には製氷スイッチ６８が長押しされたかを判定する（ステップ１８１）。この判定で長押しされていない場合には、製氷運転モードを動作し（ステップ１８２）、ステップ１９０に進む。この製氷運転モードの動作は、製氷スイッチ６８が押される毎に、製氷、製氷一時停止、製氷停止の各運転を設定し、製氷表示部７８の設定領域を点灯し、その設定時にブザー音の出力に続いて音声の出力を行なうものである。
【０１０９】
　ステップ１８１で長押しされている場合には、おそうじモードを動作し（ステップ１８３）、その後ステップ１９０に進む。このおそうじモードは、おそうじ表示７８ｃを点灯すると共に、ブザー音の出力に続いて音声の出力を行なうものである。また、所定時間経過後におそうじ終了のブザー音の出力に続いて音声の出力を行なう。
【０１１０】
　次いで、ステップ１９０で、デモ設定条件になっているかを判定し、なっていない場合にはステップ２００に進み、なっている場合にはデモモードを動作させる（ステップ１９１）。このデモモードにおけるデモ機能については詳細を前述したので説明を省略する。
【０１１１】
　次いで、ステップ２００で電源がオフかを判定し、電源がオフするまでは上記した動作が繰り返される。
【０１１２】
　本実施の形態によれば、冷蔵庫扉１０の前面部に配置された複数の操作スイッチ６０の設定に基づいて冷蔵庫の冷却運転及び音声装置８０を制御する制御装置３９を備えると共に、操作スイッチ６０で設定された各運転機能に関する内容をスピーカ８３で音声報知するように制御する音声制御手段としているので、冷蔵庫の使用者が設定した運転機能の内容を冷蔵庫から離れて音声で確認することができ、例えば設定後に直ちに次の別の動作を行ないながら音声で確認することができ、これにより使い勝手を著しく向上することができる。
【０１１３】
　また、冷蔵庫扉１０の前面部に配置されかつ複数の運転機能を表示する表示部７０を備えると共に、操作スイッチ６０で設定された各運転機能を具体的に説明する音声内容を音声報知するように制御する音声制御手段と共に各運転機能に対応する表示内容を表示部７０で表示するように制御する表示制御手段としているので、使用者が設定した各運転機能をスピーカ８３による音声で確認すると共に、表示部７０による表示で常時確認することができ、これにより使い勝手をより一層向上することができる。
【０１１４】
　更には、設定時に各運転機能が開始する内容の音声報知を行なうと共にその設定から所定時間経過後に各運転機能が終了する内容の音声報知とを行なう音声制御手段としているので、使用者が設定した運転機能を設定時のみならず、終了時に音声で確認することができ、例えばスピード解凍運転の場合においては食品の解凍が終了したことを確認できて直ちにその食品の料理等に取掛かることができ、これにより使い勝手をより一層向上することができる。
【０１１５】
　そして、多数の温度帯の冷蔵運転から冷凍運転までを含む運転機能に切替えて冷却される切替室を備えると共に、この切替室の多数の運転機能の内容を表示部７０の多数の領域で表示するように制御する表示制御手段と、設定された各運転機能を具体的に説明する音声内容を音声報知するように制御する音声制御手段とを制御装置３９に備えているので、特に複雑な切替室の運転機能を容易に確認することができ、これにより使い勝手をより一層向上することができる。
【０１１６】
　また、ブザー音で報知するブザー５４を備え、音声報知に先行してブザー音報知するように制御するブザー制御手段を有する制御装置３９としているので、ブザー音を聞いた後に注意して音声報知による運転機能を確認することができ、これにより使い勝手をより一層向上することができる。
【０１１７】
　また、設定された各運転機能に関する内容を音声報知することをオンオフ制御する音声制御手段としているので、音声報知を必要としないときに音声装置８０をオフすることができ、これにより使い勝手をより一層向上することができる。
【０１１８】
　更には、同一の操作スイッチ６０の押下時間の長短で音声報知の設定と運転機能の設定とを選択するものであり、スピーカ８３で音声報知するように制御しかつ音声報知が設定されたときに音声報知することをオンオフ制御する音声制御手段としているので、同一の操作スイッチ６０を用いるという簡単な構成で、音声報知の設定と運転機能の設定とを切替えられかつ音声報知のオンオフを制御でき、これにより安価であって使い勝手をより一層向上することができる。
【０１１９】
　しかも、音声報知及びブザー音報知を設定する同一の操作スイッチ６０の押下の回数に基づいて音声報知及びブザー音報知のオンオフを選択するように制御する音声ブザー制御手段としているので、簡単な構成で、音声報知及びブザー音報知を単独に選択または組合せて選択することができ、これにより安価であって使い勝手をより一層向上することができる。
【０１２０】
　また、冷蔵庫の冷却運転を制御するメインマイコン５１と表示部７０及び音声装置８０を制御する操作部マイコン５２とから制御装置３９を構成しているので、表示部７０及び音声装置８０の制御を操作部マイコンに分担させて複雑な表示及び音声報知の制御を行なうことができ、これにより使い勝手をより一層向上することができる。
【０１２１】
　更には、操作スイッチ６０及び表示部７０を操作基板前面側に搭載すると共に、音声装置８０を構成する音声合成ＩＣ８１と操作部マイコン５２とを操作基板５５の表示部７０反対側に搭載しているので、プリント配線接続部分を必要としない表示部７０の反対側のスペースを有効に利用でき、操作基板５５を小型化することができる。
【０１２２】
　そして、冷蔵庫扉１０の前面部に配置されかつデモ機能を設定する操作スイッチ６０と、デモ機能を音声で報知するスピーカ８３を有する音声装置８０と、操作スイッチ６０の設定に基づいて音声装置８０を制御する制御装置３９とを備え、デモ機能が設定されたときにデモ機能に関する内容を音声報知するように制御する音声制御手段としているので、冷蔵庫から離れた位置においてもデモ機能に関する内容を顧客等に知らせることができ、これにより店頭等におけるデモンストレーション効果を著しく向上することができる。
【０１２３】
　更には、冷蔵庫扉１０の前面部に配置されかつデモ機能を表示する表示部７０を備え、設定されたデモ機能に関する表示内容を表示部７０で表示するように制御する表示制御手段とすると共に、設定されたデモ機能に関する音声内容をスピーカ８３で音声報知するように制御する音声制御手段としているので、デモ機能に関する表示内容と音声内容を併用してデモンストレーションすることができ、これにより店頭等におけるデモンストレーション効果をより一層向上することができる。
【０１２４】
　しかも、その冷蔵庫の運転機能についての内容とその冷蔵庫の特徴についての内容とを含むデモ機能に関する音声内容としてあるので、顧客等にその冷蔵庫の運転機能を知らせて購入する対象機種の選定に効果を発揮できると共に、その冷蔵庫の製品的な良さをコマーシャルすることができ、これにより店頭等におけるデモンストレーション効果をより一層向上することができる。
【０１２５】
　また、運転機能の音声報知とデモ機能の音声報知とを共用する音声ＩＣを備えた音声装置８０とし、設定された各運転機能及びデモ機能に関する内容を共用の音声ＩＣ及びスピーカ８３で音声報知する音声制御手段としているので、安価な構成で店頭等におけるデモンストレーション効果を向上することができる。
【０１２６】
　更には、冷蔵庫扉１０の開状態で操作スイッチ６０の形状及び大きさが異なる隣接した複数の押しボタンが同時に押下されたときにデモ機能を設定するように制御するデモ設定制御手段としているので、操作が容易で誤操作によるデモ機能の設定を少なくができる。
【０１２７】
　また、設定されたデモ機能に関する内容を不揮発性メモリーの記憶部に記憶して次に冷蔵庫の商用電源がオンされたときにこの記憶されたデモ機能に関する内容に基づいて表示部７０で表示するように制御する記憶制御手段としているので、店頭等で冷蔵庫を展示してデモ機能を用いる場合に、毎日、商用電源をオンオフする度にデモ機能を設定する必要がなく、その使い勝手を著しく向上することができる。
【０１２８】
　また、切替室の多数の運転機能の内容を多数の領域で表示する表示部７０を備え、切替室の運転機能が設定されたときにその運転機能に対応する表示部７０の領域を表示するように制御しかつデモ機能が設定されたときに切替室の各運転機能に対応する表示部７０の各領域を周期的に点灯するように制御しさらにはこの表示部７０の各領域が周期的に点灯している状態で切替室の特定の運転機能が設定されたときにその特定の運転機能に対応する表示部７０の領域を所定時間点灯するように制御する表示制御手段としているので、特に複雑な運転機能を有する切替室の各表示領域を周期的に点灯して強調するのみならず、必要に応じてその中の特定の運転機能の表示領域を長く点灯して強調することができ、これにより店頭等におけるデモンストレーション効果をより一層向上することができる。
【０１２９】
　また、運転機能が設定されたときにその運転機能に関する内容を音声報知することをオンオフ可能に制御しかつデモ機能が設定されたときにデモ機能に関する内容を音声報知することをオン可能及びオフ不可に制御する音声制御手段としているので、冷蔵庫の家庭等における一般使用時には音声報知を必要に応じてオフすることができると共に、店頭等におけるデモ機能使用時には誤ってデモ機能をオフしてしまうことを防止することができる。
【０１３０】
　また、運転機能が設定された状態でボタンロック機能をオンオフ可能に制御しかつデモ機能が設定された状態でボタンロック機能をオン不可に制御する音声制御手段としているので、デモ機能が設定された状態で誤ってボタンロックをしてしまうことを防止することができる。
【０１３１】
　更には、運転機能及びボタンロック機能が設定されたときにその運転機能及びボタンロック機能に関する内容を音声報知する音声制御手段としているので、ボタンロックを設定したことを音声で確認できると共に、誤ってボタンロックをしてしまった場合に音声で知ることができ、これにより使い勝手をより一層向上することができる。
【０１３２】
　また、デモ機能が設定されたときにデモ機能に関する内容を運転機能に関する音声報知より大きな音量で音声報知するように制御する音声制御手段としているので、店頭等におけるデモンストレーション効果を大きなものとしつつ、家庭等における一般使用時に適した音量の音声報知とすることができる。
【０１３３】
　また、冷蔵庫扉１０の前面部に配置されかつタイマー機能を設定する操作スイッチ６０と、冷蔵庫扉１０の前面部に配置されかつタイマー機能に関する表示をする表示部７０と、タイマー機能に関する音声報知をするスピーカ８３を有する音声装置８０と、操作スイッチ６０の設定に基づいて冷蔵庫の冷却運転、表示部７０及び音声装置８０を制御する制御装置３９とからなり、設定されたタイマー機能に関する内容を表示部７０で表示するように制御する表示制御手段とすると共に、設定されたタイマー機能に関する内容をスピーカ８３で音声報知するように制御する音声制御手段としているので、タイマー機能の設定を表示と音声の両方で確認することができ、これにより使い勝手をより著しく向上することができる。
【０１３４】
　更には、運転機能の音声報知とタイマー機能の音声報知とを共用する音声ＩＣ及びスピーカ８３を備えた音声装置８０とすると共に、設定された運転機能及びタイマー機能に関する内容を共用の音声ＩＣ及びスピーカ８３により音声報知するように制御する音声制御手段としているので、安価な構成で、運転機能とタイマー機能の音声報知をすることができる。
【０１３５】
　また、同一操作スイッチ６０の押下時間の長短で複数の運転機能を設定する運転操作スイッチ６０を備えており、運転操作スイッチ６０の押下時間を計時する計時手段を利用してタイマー機能の時間を計時して表示するタイマー制御手段としているので、運転機能とタイマー機能の計時手段が共用できて安価にタイマー機能を持たせることができる。
【０１３６】
　また、運転機能に関する内容を表示する二つの隣接する領域とタイマー機能による分及び秒を表示する二つの隣接する領域とを共用して有する表示部７０を備えており、設定された二つ運転機能に関する内容と設定されたタイマー機能による分及び秒とを表示部７０の共用領域に表示するように制御する表示制御手段としているので、二つの運転機能の表示を兼用してタイマー機能の分と秒を表示しても容易に連続して視認することができ、分と秒の視認性が良好なものを安価に得ることができ、これによりタイマー機能の使い勝手を著しく向上することができる。
【図面の簡単な説明】
【０１３７】
【図１】本発明の一実施の形態に係る冷蔵庫の正面図である。
【図２】同冷蔵庫の構造の概略を示す縦断面図である。
【図３】同冷蔵庫における圧縮機の駆動装置の回路図である。
【図４】同冷蔵庫における圧縮機の回転数に対する直流電圧及び流通率を示す特性図である。
【図５】同冷蔵庫における制御回路の構成ブロック図である。
【図６】同冷蔵庫における制御基板部の正面図である。
【図７】同冷蔵庫における操作パネルの正面図である。
【図８】図７の操作パネルに設けられた表示部の拡大図である。
【図９】同冷蔵庫の操作部マイコンの動作フローチャート図である。
【図１０】同冷蔵庫の操作部マイコンの動作フローチャート図（続き）である。
【図１１】同冷蔵庫の操作部マイコンの動作フローチャート図（続き）である。
【図１２】同冷蔵庫の操作部マイコンの動作フローチャート図（続き）である。
【符号の説明】
【０１３８】
　１…冷蔵庫本体、２…外箱、３…内箱、４…断熱材、５…冷蔵室、５ａ…氷温貯蔵室、５ｂ…ポケット、６…野菜室、７…切替室、８…製氷室、９…冷凍室、１０〜１４…扉、１５…断熱仕切壁、１６…冷却器、１７…冷却器用ファン、１８…冷却器室、１９…冷気通路、２０…ファン用モータ、２１…ダンパフラップ、２２…冷気通路、２３…棚、２５…円筒状通風ダクト、２６…冷蔵室用ファン、２９…モータ、３０…風向板、３１…開口、３５…流入通路、３７…方向判定センサ、３８…圧縮機、３９…制御装置、４１…商用電源、４２…コンバータ回路、４２ａ〜４２ｄ…整流回路用ダイオード、４２ｅ…リアクタ、４２ｆ…昇圧回路用ダイオード、４２ｇ…スイッチング素子、４３…インバータ回路、４４…電動機、４５…圧縮機構、４６…平滑用コンデンサ、５１…メインマイコン、５２…操作部マイコン、５３…記憶部、５４…ブザー、５５…操作基板、５６…操作パネル、６０…操作スイッチ、６１…スピード冷却スイッチ、６２…スピード解凍スイッチ、６３…スピード冷凍スイッチ、６４…切替室設定スイッチ、６５…タイマー設定スイッチ、６６…冷蔵室温度設定スイッチ、６７…冷凍室温度設定スイッチ、６８…製氷スイッチ、７０…表示部、７１ａ…スピード冷却解凍表示、７１ｂ…ボタンロック表示、７２ｂ…省エネ表示、７３ａ…スピード冷凍表示部、７３ｂ…音声出力表示、７４…切替室表示部、７５…タイマー表示部、７６…冷蔵室表示、７６ａ…冷蔵室設定表示、７６ｂ…冷蔵室温度表示部、７７…冷凍室表示部、７７ａ…冷凍室設定表示、７７ｂ…冷凍室温度表示部、７８…製氷表示部、７８ａ…製氷停止表示、７８ｂ…製氷一時停止表示部、７８ｃ…おそうじ表示、７９…デモ中表示、８０…音声装置、８１…音声ＩＣ、８２…アンプ、８３…スピーカ。
【図１】
2004012128.tif 000003
【図２】
2004012128.tif 000004
【図３】
2004012128.tif 000005
【図４】
2004012128.tif 000006
【図５】
2004012128.tif 000007
【図６】
2004012128.tif 000008
【図７】
2004012128.tif 000009
【図８】
2004012128.tif 000010
【図９】
2004012128.tif 000011
【図１０】
2004012128.tif 000012
【図１１】
2004012128.tif 000013
【図１２】
2004012128.tif 000014